(57)【特許請求の範囲】
【請求項１】
装置本体と、
前記装置本体からシートを排出する排出手段と、
前記装置本体を開閉するカバーと、
前記排出手段により排出されたシートが積載される積載部と、を備え、
前記積載部が、シート排出方向において分割された複数の分割部材を有し、
前記複数の分割部材の内のシート排出方向の一端に位置する分割部材が前記カバーと連結され、前記複数の分割部材の内のシート排出方向の他端に位置する分割部材が前記装置本体に連結されて設けられ、
前記複数の分割部材が、前記カバーの開動作にともなって回動可能に連結されている、
ことを特徴とするシート積載装置。
【請求項２】
前記積載部は、前記カバーの前記装置本体に対する回動支点を跨いで設けられている、
ことを特徴とする請求項１に記載のシート積載装置。
【請求項３】
前記カバーは、前記装置本体の上部に設けられ、
前記積載部が、シート排出方向の上流端が下流端よりも低くなるよう傾斜し、前記カバーに前記複数の分割部材の内のシート排出方向の上流端に位置する分割部材を連結する第１連結部と、前記シート排出方向の上流端に位置する分割部材に他の分割部材を連結する第２連結部とを備え、
前記第１連結部の位置は、前記第２連結部の位置よりも低い位置に設定されている、
ことを特徴とする請求項１又は２に記載のシート積載装置。
【請求項４】
前記第１連結部は、シート排出方向に沿って延びるガイド部と、前記ガイド部に係合して移動自在な軸とを有している、
ことを特徴とする請求項３に記載のシート積載装置。
【請求項５】
前記カバーが開放されたとき、前記装置本体と連結する分割部材の回動を規制して前記積載部が前記装置本体の設置領域外に突出するのを阻止する規制部材を備えた、
ことを特徴とする請求項１乃至４のいずれか１項に記載のシート積載装置。
【請求項６】
シートに画像を形成する装置本体と、
前記装置本体からシートを排出する排出手段と、
前記装置本体を開閉するカバーと、
前記排出手段により排出されたシートが積載される積載部と、を備え、
前記積載部が、シート排出方向において分割された複数の分割部材を有し、
前記複数の分割部材の内のシート排出方向の一端に位置する分割部材が、前記カバーに連結されて設けられ、
前記複数の分割部材の内のシート排出方向の他端に位置する分割部材が、前記装置本体に連結されて設けられ、
前記複数の分割部材が、前記カバーの開動作にともなって回動可能に連結されている、
ことを特徴とする画像形成装置。
【請求項７】
前記積載部は、前記カバーの前記装置本体に対する回動支点を跨いで設けられている、
ことを特徴とする請求項６に記載の画像形成装置。
【請求項８】
前記カバーは、前記装置本体の上部に設けられ、
前記積載部が、シート排出方向の上流端が下流端よりも低くなるよう傾斜し、前記カバーに前記複数の分割部材の内のシート排出方向の上流端に位置する分割部材を連結する第１連結部と、前記シート排出方向の上流端に位置する分割部材に他の分割部材を連結する第２連結部とを備え、
前記第１連結部の位置は、前記第２連結部の位置よりも低い位置に設定されている、
ことを特徴とする請求項６又は７に記載の画像形成装置。
【請求項９】
前記第１連結部は、シート排出方向に沿って延びるガイド部と、前記ガイド部に係合して移動自在な軸とを有している、
ことを特徴とする請求項８に記載の画像形成装置。
【請求項１０】
前記カバーが開放されたとき、前記装置本体と連結する分割部材の回動を規制して前記積載部が前記装置本体の設置領域外に突出するのを阻止する規制部材を備えた、
ことを特徴とする請求項８又は９に記載の画像形成装置。
【発明の詳細な説明】
【技術分野】
【０００１】
本発明は、シートを積載するシート積載装置、特に、排出トレイを装置本体のカバーの開閉にともなって折り畳み可能にして、その排出トレイが、カバーを閉められたとき伸長状態になり、カバーを開かれたとき折り畳まれた状態になるシート積載装置に関する。また、そのシート積載装置を備えた画像形成装置に関する。
【背景技術】
【０００２】
従来、装置本体内で画像を形成した記録紙（シート）を装置本体から排出して、装置本体に装備した排出トレイに積載する画像形成装置がある。画像形成装置には、複写機、ファクシミリ、プリンタ、及びこれらの複合機能の備えたもの等がある。
【０００３】
排出トレイには、例えば、Ａ３サイズの記録紙のような長さの長い記録紙であっても必要に応じて延長して積載できる、長尺シートに対応可能なトレイがある。このようなトレイを延長トレイと言う。
【０００４】
延長トレイには、例えば、単純に板状に形成されて必要に応じて装置本体の外装の一部に嵌め込んで固定する固定式のものがある。また、回転軸によって装置本体の外装に回動できるように装着されて、使用されないときには外装に密着され、使用されるとき外装から離れて開くようになっている回動式のものがある。
【０００５】
また、回動式の延長トレイには、外装の一部分を形成して、装置本体のカバーと兼用されて、装置本体を開閉する開閉式のものがある。この開閉式の延長トレイには、装置本体を開いた状態で、必要に応じて更に引き出して延長できるようになっている延長式のものがある（特許文献１）。
【０００６】
さらに、装置本体内のカートリッジの交換時やメンテナンス時に装置本体を開閉するメンテナンス用のカバーが回動する場所に延長トレイが設けられているものもある。
【０００７】
【特許文献１】特開２００６−１８８３６３号公報
【発明の開示】
【発明が解決しようとする課題】
【０００８】
しかし、近年の画像形成装置は、設置面積や、占有領域を小さくする省スペース化が要求されている。装置本体上部の外装を排紙トレイとして兼用する場合、装置本体の大きさの制約を受け、長尺シートに対応可能な排紙トレイの長さを確保することが困難である。
【０００９】
一般に、固定式の延長トレイを備えた画像形成装置は、延長トレイが装置本体の脇に突出しているため、画像形成装置が占める空間の領域（占有領域）を広く必要であった。
【００１０】
また、回動式の延長トレイを備えた画像形成装置は、延長トレイを開かれたとき、延長トレイが装置本体の脇から突出するため、占有領域を広く必要であるとともに、延長トレイが開かれたときの占有領域を考慮しないと、延長トレイを開くことができなかった。
【００１１】
特に、延長トレイをメンテナンス用のカバーの傍に有する画像形成装置は、延長トレイの開閉量、あるいは移動量をメンテナンス用のカバーの開閉量を考慮して設置する必要があり、占有領域を広く必要とすることがあった。
【００１２】
本発明は、排出トレイを装置本体のカバーの開閉にともなって折り畳み可能にして、長尺シートに対応可能な排出トレイを設置可能にし、占有領域、設置面積を広く必要としないシート積載装置を提供することにある。
【００１３】
本発明は、排出トレイを装置本体のカバーの開閉にともなって折り畳み可能にして、長尺シートに対応可能な排出トレイを設置可能にし、占有領域、設置面積を広く必要としない画像形成装置を提供することにある。
【課題を解決するための手段】
【００１４】
本発明のシート積載装置は、装置本体と、前記装置本体からシートを排出する排出手段と、前記装置本体を開閉するカバーと、前記排出手段により排出されたシートが積載される積載部と、を備え、前記積載部が、シート排出方向において分割された複数の分割部材を有し、前記複数の分割部材の内のシート排出方向の一端に位置する分割部材が、前記カバーと連結され、前記複数の分割部材の内のシート排出方向の他端に位置する分割部材が、前記装置本体に連結されて設けられ、前記複数の分割部材が、前記カバーの開動作にともなって回動可能に連結されている、ことを特徴としている。
【００１５】
本発明の画像形成装置は、シートに画像を形成する装置本体と、前記装置本体からシートを排出する排出手段と、前記装置本体を開閉するカバーと、前記排出手段により排出されたシートが積載される積載部と、を備え、前記積載部が、シート排出方向において分割された複数の分割部材を有し、前記複数の分割部材の内のシート排出方向の一端に位置する分割部材が、前記カバーに連結されて設けられ、前記複数の分割部材の内のシート排出方向の他端に位置する分割部材が、前記装置本体に連結されて設けられ、前記複数の分割部材が、前記カバーの開動作にともなって回動可能に連結されている、ことを特徴としている。
【発明の効果】
【００１６】
本発明のシート積載装置は、積載部をカバーの開閉にともなって折り畳み可能にしたので、長尺シートに対応可能な積載部が設置可能となり、カバーを開いたときの装置全体の占有領域、設置面積を広く必要とせず、省スペース化を図ることができる。
【００１７】
本発明の画像形成装置は、積載部をカバーの開閉にともなって折り畳み可能にしたので、長尺シートに対応可能な積載部が設置可能となり、カバーを開いたときの装置全体の占有領域、設置面積を広く必要とせず、省スペース化を図ることができる。
【発明を実施するための最良の形態】
【００１８】
以下、本発明の実施形態のシート積載装置を一体的に組み込んだ画像形成装置を図に基づいて説明する。なお、本実施形態の画像形成装置における各構成部品の材質、形状、その相対配置などは、特に特定的な記載がない限り、本発明の範囲をそれらのみに限定するものではない。
【００１９】
図１は、画像形成装置の斜視図である。図２は、図１の画像形成装置１００の側面図である。図３は、図２において、記録紙の搬送方向に沿った断面図である。図４は、図１の状態から、カバーとしての上カバー１３０が開かれて、排出トレイ２００が折り畳まれたときの画像形成装置の側面図である。図５は、図１の画像形成装置における、排出トレイの斜視図である。図６は、図５の排出トレイの側面図である。図７は、図６において、排出トレイの記録紙排出方向（シート排出方向）に沿った断面図である。図８は、折り畳まれた排出トレイの斜視図である。図９は、折り畳まれた排出トレイの側面図である。図１０は、図９において、排出トレイの記録紙排出方向に沿った断面図である。図１１は、上カバー１３０と上流側トレイ２１０との連結部周辺の分解斜視図である。図１２は、上カバー１３０が閉じられているときの排出トレイの記録紙排出方向に沿った断面図である。図１３は、上カバー１３０が開かれたときの排出トレイの記録紙排出方向に沿った断面図である。
【００２０】
本画像形成装置１００（図１）は大きく分けて、装置本体１１０、前カバー１２０、上カバー１３０、排出トレイ２００などで構成されている。
【００２１】
装置本体１１０（図３）は、内部で、記録紙（シート）Ｐにカラー画像を形成するようになっている。装置本体内のイエロ、マゼンタ、シアン、ブラックの各色に対応する感光体ドラム１１ｙ，１１ｍ，１１ｃ，１１ｂは、外部からの画像情報に基づくレーザスキャナ１２のレーザ光を照射されて、トナー現像され、外周に各色のトナー画像が形成される。その各色のトナー画像は、循環する転写ベルト１３に、一次転写ローラ１４によって順次重ねて一次転写される。
【００２２】
一方、給紙カセット１５内の記録紙が、給紙ローラ１６によって送り出され、引き抜きローラ対１７によって引き抜き出される。記録紙は、レジストローラ対１８に一旦受け止められて、斜行を真っ直ぐに修正され、その後、二次転写ローラ１９と転写ベルト１３とのニップに、転写ベルト上のトナー画像の位置に合わせて送り込まれる。
【００２３】
二次転写ローラ１９は、転写ベルト１３上のトナー画像を記録紙に二次転写する。記録紙は、トナー画像を転写された後、定着器２０によって加熱されてトナー画像を定着され、排紙ローラ対２１，２２によって搬送されて、排出トレイ２００に排出されて積載される。
【００２４】
以上の構成において、感光体ドラム１１ｙ，１１ｍ，１１ｃ，１１ｂ、一次転写ローラ１４、二次転写ローラ１９等は、画像形成部２３を構成している。
【００２５】
前カバー１２０は、下部１２０ａを中心にして、装置本体１１０の前部を開閉するカバーである。
【００２６】
上カバー１３０は、上カバー１３０の後端部１３０ａ（図１）に突設された軸１３２（図１２）を装置本体１１０の後端部１１０ａに係合させて装置本体１１０上部の水平位置から後方の位置（図１の右側）へ上方回動するようになっている（図４）。このため、上カバー１３０は、装置本体１１０に対して開閉して、装置本体の内部を開放するようになっている。
【００２７】
積載部としての、排出トレイ２００は、分割部材としての上流側トレイ２１０、中間トレイ２２０、下流側トレイ２３０、及び上カバー１３０側の積載部の一部であるシート積載部１３３に４分割されている。上カバー１３０のシート積載部１３３は、上カバー１３０の一部分でもあり、排出トレイ２００の一部分でもある。また、下流側トレイ２３０は、装置本体１１０に固定されている。このように排出トレイ２００は、装置本体１１０と上カバー１３０とに、上カバー１３０の回動支点としての軸１３２を跨いで設けられ、リンク構造になっている。本実施の形態において排出トレイ２００は、記録紙排出方向に４分割されているが、これに限らず、複数に分割されていればよい。
【００２８】
各トレイ同士（分割部材同士）は、回動自在（回動可能）に連結されている。このため、排出トレイ２００は、上カバー１３０の開動作にともなって折り畳み可能に、かつ上カバー１３０の閉じ動作にともなって伸長可能になっている。
【００２９】
上流側トレイ２１０は、記録紙排出方向（矢印Ａ方向）の上流側端部を上流側連結部２１１（図１１、図１２）によって上カバー１３０に回転自在に連結され、下流側端部を中間連結部２１２（図７）によって中間トレイ２２０に回転自在に連結されている。
【００３０】
図３及び図１１乃至図１３に示すように、上カバー１３０の一部分でもあり、排出トレイ２００の一部分でもあるシート積載部１３３の下流側には、上流側連結部２１１が配設されている。上流側連結部２１１（図１１、図１２）は、上流側トレイ２１０の記録紙排出方向に沿った上流側の両側に突設された円柱状の軸２１３が、上カバー１３０に記録紙排出方向に沿って形成された、ガイド部としての長溝１３１に移動自在に係合した構造になっている。軸２１３は、長溝１３１の一端に形成された受け入れ部２３３から長溝１３１に挿入されるようになっている。なお、軸２１３は、上カバー１３０に突設され、長溝１３１は、上流側トレイ２１０に形成されていてもよい。また、本実施形態においてガイド部は、外観上の見栄え、強度等の観点から底部を設けた溝形状にしているが、貫通した孔形状でも良い。
【００３１】
中間連結部２１２（図７）は、上流側トレイ２１０の記録紙排出方向に沿った下流側の両側に突設された円柱状の突起２１４に、中間トレイ２２０の記録紙排出方向に沿った上流側の両側に設けられた半円状の軸受部２１５が係合した構造になっている。軸受部２１５は、弾性を備えており、突起２１４を受け入れるとき、開口部２１５ａが一旦開いてから元に戻るようになっている。なお、突起２１４は、中間トレイ２２０に突設され、軸受部２１５は、上流側トレイ２１０に形成されていてもよい。
【００３２】
中間トレイ２２０（図７）は、記録紙排出方向の上流側端部を中間連結部２１２によって上流側トレイ２１０に回転自在に連結され、下流側端部を下流側連結部２３１によって下流側トレイ２３０に回転自在に連結されている。
【００３３】
下流側連結部２３１（図７）は、下流側トレイ２３０の記録紙排出方向に沿った上流側の両側に突設された円柱状の突起２１６に、中間トレイ２２０の記録紙排出方向に沿った下流側の両側に設けられた半円状の軸受部２１７が係合した構造になっている。軸受部２１７は、弾性を備えており、突起２１６を受け入れるとき、一旦、開口部２１７ａが開いてから元に戻るようになっている。なお、突起２１６は、中間トレイ２２０に突設され、軸受部２１７は、下流側トレイ２３０に形成されていてもよい。
【００３４】
下流側トレイ２３０は、固定爪２３２によって、装置本体１１０に固定されている。
【００３５】
以上の構成において、中間連結部２１２（図７）と下流側連結部２３１は、排出トレイ２００の記録紙積載面２００ａに記録紙が積載できるように、排出トレイ２００の下面側に設けられている。
【００３６】
また、中間連結部２１２（図７）と下流側連結部２３１との軸受部２１５，２１７が、開口部２１５ａ，２１７ａを下向きにして、中間トレイ２２０の両端に設けられている。このため、排出トレイ２００は、組み立てるとき、突起２１４，２１６に対して、中間トレイ２２０を上方から押し込むことによって、軸受部２１５，２１７を容易に装着することができて、組立を簡単に行える構造になっている。
【００３７】
ところで、上流側連結部２１１（図１０、図１１）は、長溝１３１と軸２１３とで形成されている。このため、排出トレイ２００は、自重によって、軸２１３が長溝１３１内を記録紙排出方向の下流側に移動して、中間連結部２１２、下流側連結部２３１の部分で屈曲し、全体がＵ字状に落ち込んだ形状になり、記録紙を積載するのが困難になるおそれがある。そこで、中間トレイ２２０（図１）の下面には、装置本体１１０の後端部１１０ａに当接して、落ち込んだ形状になるのを防止する支持リブ２２１が下向きに突設されている。なお、支持リブを設ける代わりに、上流側トレイの下流端部２１０ｂ（図７）と中間トレイの上流端部２２０ａとを当接させて、中間トレイの下流端部２２０ｂと下流側トレイ２３０の上流受け部２３０ａとを当接させ、落ち込んだ形状になるのを防止してもよい。
【００３８】
以上の構成において、上カバー１３０（図１１，１２）を、軸１３２を中心にして開くと、上流側連結部２１１と下流側連結部２３１との間の距離が縮まるため、上流側トレイ２１０と中間トレイ２２０とが上カバー１３０に追従回転しながら屈曲する。上流側トレイ２１０は、上流側連結部２１１の軸２１３と上カバー１３０の長溝１３１との相対移動によって、上カバー１３０の開動作に伴い移動し、かつ回動する。このとき、上流側トレイ２１０は、中間連結部２１２を中心にして回動しながら移動する。また、中間トレイ２２０は、下流側連結部２３１を中心にして、上カバー１３０の開方向と同一方向に回動する。下流側トレイ２３０は、装置本体１１０に固定されているので、上カバー１３０の開閉動作に関わらず動かない。
【００３９】
以上の構成において、上カバー１３０が開かれたときの、排出トレイ２００の各部の位置関係は、次のようになっている。
【００４０】
第１に、上カバー１３０に上流側トレイ２１０を連結する第１連結部としての上流側連結部２１１は、上流側トレイ２１０に他の分割部材としての中間トレイ２２０を連結する第２連結部としての中間連結部２１２よりも低い位置に設定してある。
【００４１】
上カバー１３０の開閉は、排出トレイ２００上の記録紙を取り除いてから行うのが好ましい。しかし、ユーザが誤って、排出トレイ２００に記録紙を積載したまま上カバー１３０を開けた場合、上記の位置関係になっていると、排出トレイ上の記録紙が落下するのを防止することができる。
【００４２】
また、図１１、図１２に示すように、上流側トレイが上カバー１３０の開動作に伴い移動し、かつ回動したとき、排出口１４０と上流側トレイ２１０との空間Ｓを広く確保して、記録紙が排出口１４０と上流側トレイ２１０とに挟まれるのを防止することができる。
【００４３】
第２に、中間連結部２１２によって形成される屈曲部Ｋは、上カバー１３０が開状態の位置における装置を天面から見たときの投影面にほぼ収まるように設定してある。すなわち、屈曲部Ｋが、画像形成装置の設置領域外に突出するのを阻止してある。
【００４４】
これは、各部材の長さ関係によって設定することができるが、図１３に示すように、中間トレイ２２０が下流側トレイ２３０の上流受け部２３０ａで受け止められて、回動を規制され、屈曲部Ｋが、投影面にほぼ収まるようにしてもよい。この場合、上流受け部２３０ａは、規制部材である。
【００４５】
このように、本画像形成装置は、排出トレイ２００が、上カバー１３０を閉められたとき伸長状態になり、上カバーを開かれたとき折り畳まれた状態になる。よって、本画像形成装置は、上カバーを開いたときの装置全体の占有領域、ひいては設置面積を広く必要とせず、省スペース化を図ることができる。
【００４６】
また、上カバー１３０の開閉動作に関わらず排出トレイ２００は、画像形成装置１００の設置領域からはみ出る（突出する）ことがなく、画像形成装置の占有領域、ひいては設置面積を広く必要とせず、省スペース化を図ることができる。
【００４７】
なお、以上の排出トレイ２００は、４つに折り畳まれるようになっているが、図１４、図１５に示す排出トレイ２０１のように、装置本体に設けられた積載部の一部を省略し、３つに折り畳まれるようになっていてもよい。
【００４８】
すなわち、図１４、図１５の排出トレイ２０１は、上記の排出トレイ２００の下流側トレイ２３０を省略して、中間トレイ２２０を下流側トレイとして、装置本体の一部分２５０に下流側連結部２４１によって回転自在に設けられている。図１４、図１５における下流側トレイは、図１乃至図１３における中間トレイ２２０と同一であるが符号２４０を付して説明する。
【００４９】
下流側連結部２４１は、装置本体の一部分２５０の両側に突設された円柱状の突起２４２に、分割部材としての下流側トレイ２４０の記録紙排出方向に沿った下流側の両側に設けられた半円状の軸受部２４３が係合した構造になっている。軸受部２４３は、弾性を備えており、突起２４２を受け入れるとき、開口部２４３ａが一旦開いてから元に戻るようになっている。なお、突起２４２は、下流側トレイ２４０に突設され、軸受部２４３は、装置本体の一部分２５０に形成されていてもよい。
【００５０】
この排出トレイ２０１を備えた画像形成装置も、上記の排出トレイ２００を備えた画像形成装置と同様な効果を奏する。
【００５１】
積載部としての排出トレイ２０１の各部の、上カバー１３０が開かれたときの位置関係は、次のようになっている。
【００５２】
第１に、上カバー１３０に上流側トレイ２１０を連結する第１連結部としての上流側連結部２１１は、上流側トレイ２１０に他の分割部材としての下流側トレイ２４０とを連結する第２連結部としての中間連結部２１２よりも低い位置に設定してある。
【００５３】
これによって、ユーザが誤って、排出トレイ２０１に記録紙を積載したまま上カバー１３０を開けても、排出トレイ上の記録紙の落下を防止することができる。
【００５４】
また、図１５に示すように、排出口１４０と上流側トレイ２１０との空間Ｓを広く確保して、記録紙が排出口１４０と上流側トレイ２１０とに挟まれるのを防止することができる。
【００５５】
第２に、中間連結部２１２によって形成される屈曲部Ｋは、上カバー１３０が開状態の位置における画像形成装置を上から見下ろしたときの投影面にほぼ収まるように設定してある。すなわち、屈曲部Ｋが、画像形成装置の設置領域外に突出するのを阻止してある。
【００５６】
これは、各部材の長さ関係によって設定することができるが、図１５に示すように、下流側トレイ２４０が装置本体の一部分に突設した受け止め片２５１で受け止められて、回動を規制され、屈曲部Ｋが上記投影面にほぼ収まるようにしてもよい。この場合、受け止め片２５１は、規制部材である。
【００５７】
これによって、上カバー１３０の開閉動作に関わらず排出トレイ２０１は、画像形成装置１００の占有領域、ひいては設置面積を広く必要とせず、省スペース化を図ることができるとともに、延長トレイを設けることなく、長尺シートに対応することができる。
【００５８】
上記２つの排出トレイ２００，２０１は、排出トレイの一部を構成する分割部材としてのシート積載部１３３を形成された上カバー１３０に、分割部材としての上流側トレイ２１０が連結されている点において、構造が共通である。また、装置本体１１０に連結された分割部材としての下流側トレイ２３０，２４０の内、排出トレイ２００の下流側トレイ２３０は、装置本体１１０と一体化され、排出トレイ２０１の下流側トレイ２４０は、装置本体１１０に回動自在に連結されている。このように、上記２つの排出トレイ２００，２０１は、上流端部が上カバー１３０と一体化され、下流端部が装置本体に一体化あるいは回転自在に設けられて、上カバー１３０と装置本体とに亘って設けられている。
【００５９】
上述した実施形態において、シート積載装置を装置本体に一体的に組み込んだ画像形成装置を例として説明したが、シート積載装置が、例えばシート処理を行うフィニッシャ等の別装置として画像形成装置に接続されるものであっても本発明は有効である。
【図面の簡単な説明】
【００６０】
【図１】本発明の実施形態における画像形成装置の斜視図である。
【図２】図１の画像形成装置の側面図である。
【図３】図２において、記録紙の搬送方向に沿った断面図である。
【図４】図１の状態から、上カバーが開かれて、排出トレイが折り畳まれたときの画像形成装置の側面図である。
【図５】図１の画像形成装置における、排出トレイの斜視図である。
【図６】図５の排出トレイの側面図である。
【図７】図６において、排出トレイの記録紙排出方向に沿った断面図である。
【図８】折り畳まれた排出トレイの斜視図である。
【図９】折り畳まれた排出トレイの側面図である。
【図１０】図９において、排出トレイの記録紙排出方向に沿った断面図である。
【図１１】上カバーと上流側トレイとの連結部周辺の分解斜視図である。
【図１２】上カバーが閉じられているときの、排出トレイの記録紙排出方向に沿った断面図である。
【図１３】上カバーが開かれたときの上カバーと、排出トレイとの記録紙排出方向に沿った断面図である。
【図１４】他の排出トレイの図であり、図１２に相当する図である。
【図１５】図１４の排出トレイが、上カバーが開かれて折り畳まれたときの記録紙排出方向に沿った断面図であり、図１３に相当する図である。
【符号の説明】
【００６１】
Ｐ      記録紙（シート）
Ｋ      屈曲部
Ｓ      空間
１１ｙ，１１ｍ，１１ｃ，１１ｂ      感光体ドラム
１００      画像形成装置
１１０      装置本体
１３０      上カバー（カバー）
１３１      長溝（ガイド部）
１３２      軸（回動支点）
１３３      上カバーのシート積載部（分割部材）
２００      排出トレイ（積載部材、積載部）
２０１      排出トレイ（積載部材、積載部）
２１０      上流側トレイ（分割部材）
２１１      上流側連結部（第１連結部）
２１２      中間連結部（第２連結部）
２１３      軸
２２０      中間トレイ（分割部材、他の分割部材）
２３０      下流側トレイ（分割部材）
２３０ａ    上流受け部（規制部材）
２３１      下流側連結部（第２連結部）
２４０      下流側トレイ（分割部材、他の分割部材）
２４１      下流側連結部（第２連結部）
２５０      装置本体の一部分
２５１      受け止め片（規制部材）
【図１】
0005089484.tif 000002
【図２】
0005089484.tif 000003
【図３】
0005089484.tif 000004
【図４】
0005089484.tif 000005
【図５】
0005089484.tif 000006
【図６】
0005089484.tif 000007
【図７】
0005089484.tif 000008
【図８】
0005089484.tif 000009
【図９】
0005089484.tif 000010
【図１０】
0005089484.tif 000011
【図１１】
0005089484.tif 000012
【図１２】
0005089484.tif 000013
【図１３】
0005089484.tif 000014
【図１４】
0005089484.tif 000015
【図１５】
0005089484.tif 000016